(57)【特許請求の範囲】
【請求項１】
機構部と、電子回路部とよりなり、
機構部は、ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
電子回路部は、上位システムとのインターフェースをとるインターフェース部を有し、上記機構部を制御する構成であるハードディスク装置において、
上記機構部は、上記ハードディスクが、径が３．５インチのサイズであり、
上記電子回路部は、上記インターフェース部が、２．５インチハードディスク装置用のインターフェース部であることを特徴とするハードディスク装置。
【請求項２】
ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
上記ハウジングは、高さ寸法が１／２インチであり、
且つ上記ハードディスクが、径が３．５インチのサイズである構成としたことを特徴とするハードディスク装置。
【請求項３】
請求項１又は２記載のハードディスク装置において、
上記機構部は、上記ハードディスクが、その片面にだけ磁性面を有する構成であり、且つ、上記ヘッドスライダは、一つである構成であることを特徴とするハードディスク装置。
【請求項４】
ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
コネクタが、ハードディスク装置の長手方向の側面に露出しており、
且つ上記ハードディスクが、径が３．５インチのサイズである構成としたことを特徴とするハードディスク装置。
【請求項５】
回転の中心から一端側にヘッドスライダ搭載部、反対側にボイスコイル取付部を有するキャリッジアームにおいて、
プレスで打ち抜き加工して製造された構成であることを特徴とするキャリッジアーム。
【発明の詳細な説明】
【０００１】
【発明の属する技術分野】
本発明はハードディスク装置に係り，特に、径が３．５インチのハードディスクを有する３．５インチハードディスク装置に関する。
【０００２】
【従来の技術】
図１は従来の３．５インチのハードディスク装置１０を示す。ハードディスク装置１０は、機構部１１と、電子回路部３０とを有する構成である。
【０００３】
機構部１１は、ベース１２と、ベース１２に固定してあるハードディスク回転用モータ１３と、モータ１３に固定してある径が３．５インチのハードディスク１４と、先端にヘッドスライダ１５を有するキャリッジアーム１６と、キャリッジアーム１６を往復回動させる磁気回路１７と、ハードディスク１４とキャリッジアーム１６と磁気回路１７とを覆うカバー１８とを有する。
【０００４】
なお、図１ではハードディスクの枚数は一枚であるけれども、ハードディスクの枚数を増やすことで、記憶容量を増大させることが出来る。ハードディスク装置メーカは、このように、ハードディスクの枚数を変えることにより、出来る限り共通の部品で多くの装置ラインアップを提供している。
【０００５】
２０はプリント基板ユニットであり、プリント基板２１の面に複数の電子部品が実装してあり、且つ、プリント基板２１の端にはコネクタ２２が実装してある。
【０００６】
このプリント基板ユニット２０は、ベース１２の下面に固定してあり、コネクタ２２がハードディスク装置１０の端面に露出している。
【０００７】
ハードディスク装置１０の高さＨ１は、１インチである。
【０００８】
プリント基板ユニット２０が電子回路部３０を構成する。電子回路部３０は、図２に示すように、上位システム４０とのインターフェースをとるインターフェース部３１と、機構部１０１の動作及びデータの読み取り及び書き込みを制御する制御部３２とを有する。
【０００９】
図２に示すように、プリント基板ユニット２０は、ハードディスクコントローラ（ＨＤＣ）５１、データを一時的に記憶するバッファとしてのＲＡＭ５２、ＭＰＵ５４を制御するプログラム等が記憶されているＲＯＭ５３、ＭＰＵ５４、リードチャネル５５、サーボコントローラ（ＳＶＣ）５６、ドライバ５７、５８を含む構成とされている。
【００１０】
インターフェース部３１は、３．５インチのハードディスク装置用のハードディスクコントローラ（ＨＤＣ）５１と３．５インチのハードディスク装置用のコネクタ２２とよりなる。
【００１１】
制御部３２は、ＭＰＵ５４とＲＯＭ５３とよりなる。
【００１２】
ハードディスク１４は、モータ１３によって高速で回転される。磁気回路１７によって、キャリッジアーム１６が往復回動され、ヘッドスライダ１５がハードディスク１４の面に対して浮上した状態でこの半径方向に移動され、目的とするトラックを走査して、情報の書き込み、読み出しを行う。読み出された再生信号は、ヘッドＩＣ１９に供給され、増幅された後、リードチャネル５５に供給される。
【００１３】
上記構成の３．５インチのハードディスク装置１０は、ハードディスク１４の径が３．５インチと大きいため、記録容量が大きいという特長を有する。また、３．５インチのハードディスク装置１０は入力電源１２Ｖで動作される。
【００１４】
上記構成の３．５インチのハードディスク装置１０は、１インチの高さを有する組み込用空間を有し、３．５インチのハードディスク装置用のコネクタ２２が嵌合するコネクタを備え、入力電源１２Ｖを有する機器、主にＰＣ（パソコン）に使用されている。そして、コンシューマ市場では、例えば、ディジタルテレビ、ディジタルオーディオ装置に組み込まれて使用されている。
【００１５】
【発明が解決しようとする課題】
上記の３．５インチのハードディスク装置は、２．５インチのハードディスク装置と比べて、記録容量は大きいけれども、サイズが大きく且つ消費電力が多い大きいという問題があった。
【００１６】
逆に、２．５インチのハードディスク装置は、３．５インチのハードディスク装置と比べて、サイズが小さく且つ消費電力は少ないけれども、記録容量が小さいという問題があった。
【００１７】
更に、ハードディスクの枚数が一枚であるハードディスク装置でも、ハードディスクの枚数が複数であるハードディスク装置でも、同じハウジングが使われていることから、ハードディスクを一枚しか搭載しないハードディスク装置にとっては、無駄なスペースが大きい。また、キャリッジアームの回転バランスをとるために、ダミーのヘッドが搭載され、不必要な部品コストがかかるという問題がある。
【００１８】
また、近年の高記録密度化に伴い、ハードディスクの枚数が少なくても十分な記憶容量が得られるようになり、一枚タイプの３．５インチのハードディスク装置の需要が高まるにつれ、上述した問題がクローズアップされてきている。
【００１９】
そこで、本発明は、消費電力が少なく、或いは、省スペースにて使用できる３．５インチのハードディスク装置を提供することを目的とする。
【００２０】
【課題を解決するための手段】
請求項１の発明は、機構部と、電子回路部とよりなり、
機構部は、ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
電子回路部は、上位システムとのインターフェースをとるインターフェース部を有し、上記機構部を制御する構成であるハードディスク装置において、
上記機構部は、上記ハードディスクが、径が３．５インチのサイズであり、
上記電子回路部は、上記インターフェース部が、２．５インチハードディスク装置用のインターフェース部である構成としたものである。
【００２１】
２．５インチハードディスク装置に比べて記録容量が大きくて、且つ、従来の３．５インチハードディスク装置に比べて消費電力が少なくて、且つ、２．５インチハードディスク装置用の上位システムとコネクタ接続されて使用可能である３．５インチハードディスク装置が実現出来る。
【００２２】
請求項２の発明は、ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
上記ハウジングは、高さ寸法が１／２インチであり、
且つ上記ハードディスクが、径が３．５インチのサイズである構成としたものである。
【００２３】
２．５インチハードディスク装置に比べて記録容量が大きくて、且つ、３．５インチハードディスク装置に比べて消費電力が少なくて、且つ、２．５インチハードディスク装置用の上位システムとコネクタ接続されて使用可能であり、且つ、機器内の高さが１／２インチの空間内に収まって組み込むことが可能である３．５インチハードディスク装置が実現出来る。
【００２４】
請求項３の発明は、請求項１又は２記載のハードディスク装置において、
上記機構部は、上記ハードディスクが、その片面にだけ磁性面を有する構成であり、且つ、上記ヘッドスライダは、一つである構成としたものである。
【００２５】
ハードディスクの製造の歩留まりが上がり、且つ、ヘッドスライダに要するコストが下がり、製造コストが低下する。
【００２６】
請求項４の発明は、ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
コネクタが、ハードディスク装置の長手方向の側面に露出しており、
且つ上記ハードディスクが、径が３．５インチのサイズである構成としたものである。
【００２７】
３．５インチハードディスク装置として、コネクタがハードディスク装置の短辺方向の側面に露出している３．５インチハードディスク装置とコネクタがハードディスク装置の長手方向の側面に露出している３．５インチハードディスク装置との二種類が用意され、よって、２．５インチハードディスク装置用の上位システムのコネクタの配置についての制約を緩和することが出来る。
【００２８】
請求項５の発明は、回転の中心から一端側にヘッドスライダ搭載部、反対側にボイスコイル取付部を有するキャリッジアームにおいて、プレスで打ち抜き加工して製造された構成としたものである。
【００２９】
プレスで打ち抜き加工したものであるため、ヘッドスライダ搭載部とボイスコイル取付部とが一体化されているキャリッジアームの製造コストを低下させることが可能となる。
【００３０】
【発明の実施の形態】
［第１実施例］
図３（Ａ）乃至（Ｃ）、図４及び図５は、本発明の第１実施例になる３．５インチのハードディスク装置１００を示す。ハードディスク装置１００は、機構部１０１と、電子回路部１２０とを有する構成である。
【００３１】
機構部１０１は、図３（Ａ）乃至（Ｃ）及び図４に示すように、浅い箱形状のベース１０２と、ベース１０２に固定してあるハードディスク回転用モータ１０３と、モータ１０３に固定してある径が３．５インチの一枚のハードディスク１４と、先端にヘッドスライダ１５を有するキャリッジアーム１０６と、キャリッジアーム１０６を往復回動させる磁気回路１０７と、ハードディスク１０４とキャリッジアーム１０６と磁気回路１０７とを覆う平板状のカバー１０８とを有する。ベース１０２とカバー１０８とがハウジング１０９を構成する。
【００３２】
ハードディスク回転用モータ１０３は、図４に示すように、ステータ１５０とロータ１５１とよりなる。ステータ１５０は、中央に固定軸１５２を有し、且つ、周囲部に、複数のコイル１５２が環状に並んでいる構成であり、ベース１０２に固定してある。ロータ１５１は、環状の磁石１５３を有し、二つの軸受部材１５４、１５５によって、固定軸１５２に支持されている。軸受部材１５４、１５５が接近して配してあり、ハードディスク回転用モータ１０３は、図１に示す従来の３．５インチハードディスク装置１０のハードディスク回転用モータ１３に比べて薄型である。ハードディスク回転用モータ１０３は、２．５インチハードディスク装置の入力電源である５Ｖで動作する構成である。
【００３３】
キャリッジアーム１０６は、図４に示すように、シリンダ部１６０の内部に軸受部材１６１，１６２及び軸受スリーブ１６３が組み込んであり、軸受スリーブ１６３がベース１０２に固定してある軸１６４に嵌合してあり、シリンダ部１６０が軸受部材１６１，１６２に支持されつつ回動する構成である。軸受部材１６１，１６２が接近して配してあり、シリンダ部１６０は図１に示す従来の３．５インチハードディスク装置１０の対応するシリンダ部に比べて薄型である。
【００３４】
図３（Ａ）に示すように、１６５はボイスコイル１７３を固定するためのフォーク状部であり、シリンダ部１６０よりキャリッジアーム１０６とは逆方向に延びている。
【００３５】
磁気回路１０７は、図３（Ａ）及び図４に示すように、ヨーク１７０と、ヨーク１７０上に固定してある永久磁石１７１と、隙間をおいて永久磁石１７１の上側に対向しているヨーク１７２とよりなり、ベース１０２上に固定してある。永久磁石１７１とヨーク１７２との間の隙間内に、上記のフォーク部１６５に固定してある略矩形状のボイスコイル１７３が位置している。上側に配される永久磁石は省略されており、磁気回路１０７は、図１に示す従来の３．５インチハードディスク装置１０の対応する磁気回路１７に比べて薄型である。この磁気回路１０７は、入力電源５Ｖで動作する構成である。
【００３６】
ハードディスク回転用モータ１０３と、キャリッジアーム１０６と、磁気回路１０７とは、図１に示す従来の３．５インチハードディスク装置１０のハードディスク回転用モータ１３、キャリッジアーム１６、磁気回路１７に比べて、薄型の構造を有しており、３．５インチハードディスク装置１００の高さＨ２は、従来の半分の高さである１／２インチ、即ち、通常の２．５インチハードディスク装置の高さと同じ高さである。
【００３７】
１１０はプリント基板ユニットであり、プリント基板１１１の面に複数の電子部品が実装してあり、且つ、プリント基板１１１の端にはコネクタ１１２が実装してある。コネクタ１１２は、２．５インチハードディスク装置に備えてあるコネクタと同じものである。このプリント基板ユニット１１０は、ベース１０２の下面に固定してあり、コネクタ１１２がベース１０２の短辺の側面１０２ａの切欠部１０２ｂに嵌合しており、ハードディスク装置１００の短辺の側面１０２ａに露出している。
【００３８】
プリント基板ユニット１１０が電子回路部１２０を構成する。電子回路部１２０は、図２に示すように、上位システム１３０と接続するインターフェース部１２１と、機構部１０１の動作及びデータの読み取り及び書き込みを制御する制御部１２２をと有する。
【００３９】
図２に示すように、プリント基板ユニット１１０は、ハードディスクコントローラ（ＨＤＣ）１４１、データを一時的に記憶するバッファとしてのＲＡＭ１４２、ＭＰＵ１５４を制御するプログラム等が記憶されているＲＯＭ１４３、ＭＰＵ１４４、データの変調及び復調を行うリードチャネル１４５、サーボコントローラ（ＳＶＣ）１４６、ドライバ１４７、１４８を含む構成とされている。
【００４０】
２．５インチのハードディスク装置用のインターフェース部１２１は、２．５インチのハードディスク装置用のハードディスクコントローラ（ＨＤＣ）１４１と２．５インチのハードディスク装置用のコネクタ１１２とよりなる。
【００４１】
制御部１２２は、ＭＰＵ１４４とＲＯＭ１４３とよりなる。
【００４２】
上記構成の３．５インチのハードディスク装置１００は、高さＨ２が従来の半分の高さである１／２インチ、即ち、通常の２．５インチハードディスク装置の高さと同じ高さであるため、ノートパソコン、ゲーム装置、複写機、プリンタ等のこれまでは２．５インチのハードディスク装置が組み込まれていた場所に、２．５インチのハードディスク装置に代えて、組み込まれ、コネクタ１１２が上位システム１３０のコネクタに接続され、入力電源５Ｖで動作される。
【００４３】
ハードディスク１４は、モータ１０３によって３６００ｒｐｍで回転される。磁気回路１０７によって、キャリッジアームアーム１０６が往復回動され、ヘッドスライダ１５がハードディスク１４の上面及び下面に対して浮上した状態でこの半径方向に移動され、目的とするトラックを走査して、情報の書き込み、読み出しを行う。読み出された再生信号は、ヘッドＩＣ１０９に供給され、増幅された後、リードチャネル１４５に供給される。ハードディスク１４の回転数が３６００ｒｐｍと一般の回転数より低速であり、３．５インチのハードディスク装置１００は従来の３．５インチのハードディスク装置１０より静音である。
【００４４】
上記構成の３．５インチのハードディスク装置１００は、入力電源５Ｖで動作され、従来の３．５インチのハードディスク装置１０に比べて消費電力が少ない。また、ハードディスク１４の径が３．５インチと大きいため、記録容量が２．５インチのハードディスク装置に比べて大きい。
【００４５】
図６（Ａ）は変形例になるキャリッジアーム１８０を示す。キャリッジアーム１８０は、プレスで打ち抜き加工してなる細長形状の板金部材を大略折り重ねてなる構成である。キャリッジアーム１８０は、ダイキャスト製に比べて安価である。
【００４６】
このキャリッジアーム１８０は、図６（Ｂ）に示すように、円筒の段形状のスリーブ１８１にねじ１８２によって固定されている。
［第２実施例］
図７は、本発明の第２実施例になる３．５インチのハードディスク装置１００Ａを示す。ハードディスク装置１００Ａは、図３（Ａ）乃至（Ｃ）及び図４に示す３．５インチのハードディスク装置１００に比べて記録容量が少なく、これに応じて製造コストを低くした構成である。
【００４７】
ハードディスク装置１００Ａは、図３（Ａ）乃至（Ｃ）及び図４に示す３．５インチのハードディスク装置１００とは、以下の点が相違する。
【００４８】
ヘッドスライダ１５は一つであり、ハードディスク１４Ａの上面１４Ａａに対向している。
【００４９】
ハードディスク１４Ａは、上面１４Ａａだけが磁性面であり、高い平面度を有している。下面１４Ａｂは磁性面ではなく、且つ、平面度は高くはない。よって、ハードディスク１４Ａは、前記のハードディスク１４に比べて、製造工数が少なくて足り、また、歩留まりも良くなり、安価である。
【００５０】
よって、ハードディスク装置１００Ａは、ヘッドスライダ１５を一つ削除した分、及び、安価なハードディスク１４Ａを使用した分、製造コストが低くなる。
【００５１】
なお、ハードディスク装置１００Ａは、２．５インチのハードディスク装置用のインターフェース部１２１を有している。
【００５２】
図８（Ａ）は第１の変形例になるキャリッジアーム１９０を示す。キャリッジアーム１９０は、回転の中心から一端側のヘッドスライダ搭載部１９０ａと反対側のボイスコイル１７３を固定するためのボイスコイル取付部１９０ｂとを一体に有し、プレスで打ち抜き加工してなる構成であり、平面である。キャリッジアーム１９０は、ダイキャスト製に比べて安価である。
【００５３】
このキャリッジアーム１９０は、図８（Ｂ）に示すように、円筒の段形状のスリーブ１９１にねじ１９２によって固定されている。
【００５４】
図９（Ａ）は第２の変形例になるキャリッジアーム２００を示す。キャリッジアーム２００は、回転の中心から一端側のヘッドスライダ搭載部２００ａと反対側のボイスコイル１７３を固定するためのボイスコイル取付部２００ｂとを一体に有し、プレスで打ち抜き加工してなる構成であり、途中曲げてある。キャリッジアーム２００は、ダイキャスト製に比べて安価である。
【００５５】
このキャリッジアーム２００は、図９（Ｂ）に示すように、円筒の段形状のスリーブ１９１にねじ１９２によって固定されている。
【００５６】
キャリッジアーム２００を表裏反転させてスリーブ１９１に固定すると、図９（Ｂ）中、二点差線で示すようになり、下面が磁性面であるハードディスクに適用される。
［第３実施例］
図１０（Ａ），（Ｂ）は、本発明の第３実施例になる３．５インチハードディスク装置１００Ｂを示す。図１０（Ａ）は側面図であり、図１０（Ｂ）は底面図である。
【００５７】
この３．５インチハードディスク装置１００Ｂは、図３（Ａ）乃至（Ｃ）及び図４に示す３．５インチハードディスク装置１００とは、プリント基板ユニット１１０Ｂと、ベース１０２Ｂとが相違する。プリント基板ユニット１１０Ｂは、２．５インチのハードディスク装置用のインターフェース部１２１Ｂが図４に示すインターフェース部１２１と相違する。
【００５８】
ベース１０２Ｂは、３．５インチのハードディスク装置１００Ｂの長手方向の側面２１０のうちキャリッジアーム１０６寄りの部分に、コネクタ１１２に対応する切欠部２１１が形成してある。
【００５９】
プリント基板ユニット１１０Ｂは、ベース１０２Ｂの下面にねじ止めめしてある。２．５インチハードディスク装置用のインターフェース部１２１Ｂは、コネクタ１１２が上記切欠部２１１に嵌合しており、コネクタ１１２は、３．５インチハードディスク装置１００Ｂの長手方向の側面２１０に露出している。
【００６０】
これによって、第１実施例になるコネクタがハードディスク装置の短辺方向の側面に露出している３．５インチハードディスク装置と、第３実施例になるコネクタがハードディスク装置の長手方向の側面に露出している３．５インチハードディスク装置との二種類を用意出来、よって、２．５インチハードディスク装置用の上位システムのコネクタの配置についての制約を緩和することが出来る。
【００６１】
（付記１）  機構部と、電子回路部とよりなり、
機構部は、ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
電子回路部は、上位システムとのインターフェースをとるインターフェース部を有し、上記機構部を制御する構成であるハードディスク装置において、
上記機構部は、上記ハードディスクが、径が３．５インチのサイズであり、
上記電子回路部は、上記インターフェース部が、２．５インチハードディスク装置用のインターフェース部であることを特徴とするハードディスク装置。
【００６２】
（付記２）  ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
上記ハウジングは、高さ寸法が１／２インチであり、
且つ上記ハードディスクが、径が３．５インチのサイズである構成としたことを特徴とするハードディスク装置。
【００６３】
（付記３）  付記１又は２記載のハードディスク装置において、
上記機構部は、上記ハードディスクが、その片面にだけ磁性面を有する構成であり、且つ、上記ヘッドスライダは、一つである構成であることを特徴とするハードディスク装置。
【００６４】
（付記４）  ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、
コネクタが、ハードディスク装置の長手方向の側面に露出しており、
且つ上記ハードディスクが、径が３．５インチのサイズである構成としたことを特徴とするハードディスク装置。
【００６５】
（付記５）  回転の中心から一端側にヘッドスライダ搭載部、反対側にボイスコイル取付部を有するキャリッジアームにおいて、
プレスで打ち抜き加工して製造された構成であることを特徴とするキャリッジアーム。
【００６６】
（付記６）  ベースを有するハウジング内に、ハードディスクと、ハードディスクを回転させるハードディスク回転モータと、先端にヘッドスライダを有するキャリッジアームと、キャリッジアームを往復回動させる磁気回路とを有するハードディスク装置において、
上記キャリッジアームは、回転の中心から一端側のヘッドスライダ搭載部と反対側にボイスコイル取付部とが一体化されており、プレスで打ち抜き加工したものである構成としたことを特徴とするハードディスク装置。
【００６７】
（付記７）  付記６のハードディスク装置において、上記ハードディスクは一つである構成としたことを特徴とするハードディスク装置。
【００６８】
（付記８）  付記７のハードディスク装置において、上記キャリッジアームは一つである構成としたことを特徴とするハードディスク装置。
【００６９】
（付記９）  付記８のハードディスク装置において、上記ヘッドスライダは一つである構成としたことを特徴とするハードディスク装置。
【００７０】
【発明の効果】
以上説明したように、請求項１の発明は、機構部は、そのハードディスクが、径が３．５インチのサイズである構成であり、電子回路部は、そのインターフェース部が、２．５インチハードディスク装置用のインターフェース部である構成としたものであるため、２．５インチハードディスク装置に比べて記録容量が大きくて、且つ、従来の３．５インチハードディスク装置に比べて消費電力が少なくて、且つ、２．５インチハードディスク装置用の上位システムとコネクタ接続されて使用可能である３．５インチハードディスク装置を実現することが出来る。
【００７１】
請求項２の発明は、ハウジングの高さ寸法が１／２インチであり、且つハードディスクの径が３．５インチである構成としたものであるため、２．５インチハードディスク装置に比べて記録容量が大きくて、且つ、３．５インチハードディスク装置に比べて消費電力が少なくて、且つ、２．５インチハードディスク装置用の上位システムとコネクタ接続されて使用可能であり、且つ、機器内の高さが１／２インチの空間内に収まって組み込むことが可能である３．５インチハードディスク装置を実現することが出来る。
【００７２】
請求項３の発明は、請求項１又は２記載のハードディスク装置において、ハードディスクが、その片面にだけ磁性面を有する構成であり、且つ、ヘッドスライダは、一つである構成であるため、ハードディスクの製造の歩留まりが上がり、且つ、ヘッドスライダに要するコストが下がり、よって、３．５インチハードディスク装置の製造コストを低下させることが出来る。
【００７３】
請求項４の発明は、ベースを有するハウジング内に、ハードディスクと、ハードディスクを回転させるハードディスク回転モータと、先端にヘッドスライダを有するキャリッジアームと、キャリッジアームを往復回動させる磁気回路とを有する構成であり、且つ、コネクタが、ハードディスク装置の長手方向の側面に露出しており、且つ上記ハードディスクが、径が３．５インチのサイズである構成としたものであるため、３．５インチハードディスク装置として、コネクタがハードディスク装置の短辺方向の側面に露出している３．５インチハードディスク装置とコネクタがハードディスク装置の長手方向の側面に露出している３．５インチハードディスク装置との二種類を用意出来、よって、２．５インチハードディスク装置用の上位システムのコネクタの配置についての制約を緩和することが出来る。
【００７４】
請求項５の発明は、キャリッジアームは、プレスで打ち抜き加工されて、回転の中心から一端側のヘッドスライダ搭載部と反対側にボイスコイル取付部とが一体化されてものであるため、ヘッドスライダ搭載部とボイスコイル取付部とが一体化されているキャリッジアームの製造コストを低下させることが出来る。
【図面の簡単な説明】
【図１】従来の１例の３．５インチハードディスク装置を示す断面図である。
【図２】図１の３．５インチハードディスク装置のブロック構成図である。
【図３】本発明の第１実施例になる３．５インチハードディスク装置を示す図である。（Ａ）はカバーの一部を切截して示す平面図、（Ｂ）は底面図、（Ｃ）は左側面図である。
【図４】図３（Ａ）中、IV-IV線に沿う拡大断面図である。
【図５】図３の３．５インチハードディスク装置のブロック構成図である。
【図６】キャリッジアームの変形例を示す図である。
【図７】本発明の第２実施例になる３．５インチハードディスク装置の断面図である。
【図８】キャリッジアームの第１の変形例を示す図である。
【図９】キャリッジアームの第２の変形例を示す図である。
【図１０】本発明の第３実施例になる３．５インチハードディスク装置を示す図である。（Ａ）は正面図、（Ｂ）は底面図である。
【符号の説明】
１４、１４Ａ  ３．５インチハードディスク
１５  ヘッドスライダ
１００、１００Ａ、１００Ｂ  ハードディスク装置
１０１  機構部
１０２、１０２Ｂ  ベース
１０３  ハードディスク回転用モータ
１０６  キャリッジアーム
１０７  磁気回路
１０８  カバー
１０３  ハードディスク回転用モータ
１０９  ハウジング
１１０  プリント基板ユニット
１１１  プリント基板
１１２  コネクタ
１２０  電子回路部
１２１  ２．５インチのハードディスク装置用のインターフェース部
１２２  制御部
１３０  上位システム
１８０，１９０，２００  キャリッジアーム
１０２ｂ，２１１  切欠部
【図１】
0003683513.tif 000002
【図２】
0003683513.tif 000003
【図３】
0003683513.tif 000004
【図４】
0003683513.tif 000005
【図５】
0003683513.tif 000006
【図６】
0003683513.tif 000007
【図７】
0003683513.tif 000008
【図８】
0003683513.tif 000009
【図９】
0003683513.tif 000010
【図１０】
0003683513.tif 000011